(57)【要約】【課題】  簡単な操作でフォーマット変換する。【解決手段】  ＶＲフォーマットに従い構成される対象情報を記録したＶＲディスクから、対象情報を読出すと（Ｓ７）、読出された対象情報を、その内容を同一としながらVideoフォーマットに変換して（Ｓ１７）、Videoフォーマットに変換された対象情報を入替えされた別のＤＶＤに記録する（Ｓ１９）。キー操作によるフォーマット変換の指示が入力されたことに応じて（Ｓ５でＹＥＳ）、データ読出し（Ｓ７）、フォーマット変換（Ｓ１７）および変換後データの別のＤＶＤへの記録（Ｓ１９）からなる一連動作が一括して行われる。【選択図】        図２
2006041626.tif 000002
【特許請求の範囲】
【請求項１】
第１フォーマットに従い構成される対象情報を記録した第１のディスク媒体から、前記対象情報を読出すデータ読出手段と、
前記データ読出手段により読出された前記対象情報を、その内容を同一としながら第２フォーマットに変換するフォーマット変換手段と、
前記フォーマット変換手段により前記第２フォーマットに変換された前記対象情報を第２のディスク媒体に記録するデータ記録手段と、
前記フォーマット変換の指示を入力するために操作される変換指示部と、
前記変換指示部が操作されて前記フォーマット変換指示を入力したことに応じて、前記データ読出手段による読出し、前記フォーマット変換手段によるフォーマット変換および前記データ記録手段による記録からなる一連動作を行わせる制御手段と、
所定記録部とを備えて、
前記データ読出手段は、前記第１のディスク媒体から前記所定記録部に前記対象情報を全て読出し、その後、前記フォーマット変換手段は前記所定記録部に読出された前記対象情報を、その内容を同一としながら第２フォーマットに変換し、
前記第１フォーマットはビデオレコーディングフォーマットであり、前記第２フォーマットはビデオフォーマットであることを特徴とする、フォーマット変換装置。
【請求項２】
第１フォーマットに従い構成される対象情報を記録した第１のディスク媒体から、前記対象情報を読出すデータ読出手段と、
前記データ読出手段により読出された前記対象情報を、その内容を同一としながら第２フォーマットに変換するフォーマット変換手段と、
前記フォーマット変換手段により前記第２フォーマットに変換された前記対象情報を第２のディスク媒体に記録するデータ記録手段と、
前記フォーマット変換の指示を入力するために操作される変換指示部と、
前記変換指示部が操作されて前記フォーマット変換指示を入力したことに応じて、前記データ読出手段による読出し、前記フォーマット変換手段によるフォーマット変換および前記データ記録手段による記録からなる一連動作を行わせる制御手段とを備える、フォーマット変換装置。
【請求項３】
所定記録部をさらに備えて、
前記データ読出手段は、前記第１のディスク媒体から前記所定記録部に前記対象情報を全て読出し、その後、前記フォーマット変換手段は前記所定記録部に読出された前記対象情報を、その内容を同一としながら第２フォーマットに変換することを特徴とする、請求項２に記載のフォーマット変換装置。
【請求項４】
前記第１フォーマットはビデオレコーディングフォーマットであり、前記第２フォーマットはビデオフォーマットであることを特徴とする、請求項２または３に記載のフォーマット変換装置。
【発明の詳細な説明】
【技術分野】
【０００１】
この発明は、たとえばＶＲ（video recording）−ＤＶＤ（digital Versatile Disc）規格のような再生互換性の低い規格に従うデータを、たとえばVideo−ＤＶＤ規格などのような再生互換性に優れる（再生互換性が高い）データ形式にフォーマット変換して記録媒体に記録するフォーマット変換装置に関する。
【背景技術】
【０００２】
ＤＶＤレコーダの録画モードには、「Videoモード」と「ＶＲモード」の２種類が含まれる。Videoモードは、データはVideoフォーマットに従う構成を有するのでデータは再生互換性に優れており、ＤＶＤ−ＲやＤＶＤ−ＲＷディスクを使って映像をそのまま録画するときに用いられる。Videoモードで映像データなどが録画されたディスクは、多様な再生環境（再生装置）に対応しており、ＤＶＤプレーヤ、ＤＶＤビデオ対応のパーソナルコンピュータ、ＤＶＤ−ＲＯＭドライブ、ＤＶＤ再生機能付きゲーム機など多様な機器で再生が可能である。
【０００３】
これに対して、ＶＲモードは、データはＶＲフォーマットに従う構成を有するのでＤＶＤ−ＲＷディスクを用いて、映像のプログラム編集や録画時間可変の手動操作による録画など、ＤＶＤレコーダに特有の多様な機能を実現するための録画モードである。そのため、「ＶＲモード」でデータが録画されたディスクは「ＶＲモード」対応のパーソナルコンピュータやプレーヤでのみ再生が可能となっている。
【０００４】
このような背景から、ユーザにとっては、自分で映像を録画したディスクを友人などに配布して楽しんでもらう場合には、「Videoモード」でディスクにデータを記録しておく方がよい。なぜなら、ＤＶＤが配布された友人は「Videoモード」で録画されたディスクを再生できる環境を持っている場合が多いからである。そのためユーザは、「ＶＲモード」で録画したディスクであっても、配布するときには「Videoモード」に従うフォーマットにデータを変換したいという要望があり、さらには、このフォーマット変換が、極めて手軽に実施できる環境が望まれていた。
【０００５】
このようなＤＶＤのデータフォーマットの変換に関する技術は、例えば以下の特許文献１〜７に示されている。
【特許文献１】特開２００３−２４２７２１号公報
【特許文献２】特開２００３−１５１２１５号公報
【特許文献３】特開２００３−１０１９２７号公報
【特許文献４】特開２００３−１９９０４６号公報
【特許文献５】特開２００３−１０９２９７号公報
【特許文献６】特開２００３−１５３１７０号公報
【特許文献７】特開２００３−１０９３０７号公報
【発明の開示】
【発明が解決しようとする課題】
【０００６】
上述したいずれの文献も、ＤＶＤのデータフォーマット変換に関する技術は開示しているものの、フォーマット変換に係るユーザ側の操作を簡略化するための具体的な技術は何ら示されていない。
【０００７】
それゆえにこの発明の目的は、簡単な操作でフォーマット変換を可能とするフォーマット変換装置を提供することである。
【課題を解決するための手段】
【０００８】
この発明のある局面に従うフォーマット変換装置は、
第１フォーマットに従い構成される対象情報を記録した第１のディスク媒体から、前記対象情報を読出すデータ読出手段と、
前記データ読出手段により読出された前記対象情報を、その内容を同一としながら第２フォーマットに変換するフォーマット変換手段と、
前記フォーマット変換手段により前記第２フォーマットに変換された前記対象情報を第２のディスク媒体に記録するデータ記録手段と、
前記フォーマット変換の指示を入力するために操作される変換指示部と、
前記変換指示部が操作されて前記フォーマット変換指示を入力したことに応じて、前記データ読出手段による読出し、前記フォーマット変換手段によるフォーマット変換および前記データ記録手段による記録からなる一連動作を行わせる制御手段とを備える。
【０００９】
したがって、第１のディスク媒体に記録される第１フォーマットに従い構成されるデータを、第２フォーマットに変換して第２記録媒体に記録するという、フォーマット変換しながらのダビング処理のための一連動作を、変換指示部を操作してフォーマット変換指示を与えるだけで一括して行わせることができる。
【００１０】
好ましくは、所定記録部をさらに備えて、
前記データ読出手段は、前記第１のディスク媒体から前記所定記録部に前記対象情報を全て読出し、その後、前記フォーマット変換手段は前記所定記録部に読出された前記対象情報を、その内容を同一としながら第２フォーマットに変換する。
【００１１】
したがって、フォーマット変換に先立ち変換前の対象情報全てを第１のディスク媒体から所定記録部に読出しておくことができるので、読出し完了後は第１のディスク媒体を第２のディスク媒体として利用することもできる。
【００１２】
また、データ読出手段とデータ記録手段とにより同一のアクセス部を共用しようとする場合には、読出し完了後にアクセス部の第１のディスク媒体を第２のディスク媒体に交換することで、この共用が可能となる。
【００１３】
好ましくは、第１フォーマットはビデオレコーディングフォーマットであり、前記第２フォーマットはビデオフォーマットである。したがって、ビデオレコーディングフォーマットからビデオフォーマットに変換しながらのダビングが可能となる。
【００１４】
次のようなフォーマット変換方法が提供されてもよい。つまり、
第１フォーマットに従い構成される対象情報を記録した第１のディスク媒体から、前記対象情報を読出すデータ読出ステップと、
前記データ読出ステップにより読出された前記対象情報を、その内容を同一としながら第２フォーマットに変換するフォーマット変換ステップと、
前記フォーマット変換ステップにより前記第２フォーマットに変換された前記対象情報を第２のディスク媒体に記録するデータ記録ステップと、
前記フォーマット変換の指示を外部から入力するステップと、
前記フォーマット変換指示を入力したことに応じて、前記データ読出ステップによる読出し、前記フォーマット変換ステップによるフォーマット変換および前記データ記録ステップによる記録からなる一連動作を行わせる。
【発明の効果】
【００１５】
発明によれば、第１のディスク媒体に記録される第１フォーマットに従い構成されるデータを、第２フォーマットに変換して第２記録媒体に記録するという、フォーマット変換しながらのダビング処理のための一連動作を、変換指示部を操作してフォーマット変換指示を与えるだけで一括して行わせることができる。
【発明を実施するための最良の形態】
【００１６】
以下、この発明の実施の形態に係るフォーマット変換装置について、図１−図３を参照して説明する。本実施の形態に係るフォーマット変換装置では、ＶＲモードに従いコンテンツの時間的に連続しているデータが記録されているＤＶＤから変換対象情報であるコンテンツのデータを読出し、一旦、所定の記録媒体、たとえばＨＤＤ（Hard Disk Drive）の所定領域にコピーし、ＨＤＤにコピーされたデータについて、ビデオモードにデータ構成を変換（成形）し直して、変換後の該コンテンツの時間的に連続しているデータを、ＤＶＤにビデオモードに従い記録するようなフォーマット変換を伴うダビング処理を、ユーザの１回のキー操作で開始し、実行し、終了するという特徴を有する。この変換・ダビング処理では対象情報のフォーマットが変換されるにすぎず、その内容（映像、音声、文字など）は変換前後において変更されることはない。
【００１７】
図１には、本実施の形態に係るフォーマット変換装置を搭載するＤＶＤ記録再生装置が示される。図１のＤＶＤ記録再生装置は、デジタルＴＶ（television）放送信号などの時間的に連続しているＴＶ番組データなどの放送信号を受信するアンテナ１、与えられるアナログのビデオ信号をデジタル信号に変換するビデオＡ／Ｄ（Analog／Digital）回路３、ビデオＡ／Ｄ回路３から出力されるデジタル信号を入力して、ＭＰＥＧ（Motion Picture Experts Group）に従いエンコード処理してデータを出力するＭＰＥＧエンコーダ５、与えられるデータを入力して、ＭＰＥＧに従いデコード処理してデジタル信号を出力するＭＰＥＧデコーダ９、ＭＰＥＧデコーダ９から出力されたデジタル信号を入力してアナログの信号に変換して出力するビデオＤ／Ａ（Digital／Analog）回路１１、ビデオＤ／Ａ回路１１から出力されるビデオ信号を図示のないＴＶ受像機などに与えて、ここにおいて映像を出力するためのＴＶ出力部１３を有する。
【００１８】
さらに、ＤＶＤ記録再生装置は、装置の各部を集中的に制御および監視するためのＣＰＵ（Central Processing Unit）１５、ＣＰＵ１５によりアクセスされるメモリ１７およびＲＯＭ（read only memory）１８、データ転送処理部７、ＣＰＵ１５から与えられる信号に従う情報を表示するための表示部１９、外部操作されて各種情報に従う信号をＣＰＵ１５に与えるための入力部２１、ＤＶＤ２５をアクセスするＤＶＤアクセス部２８およびＨＤＤ２７を備える。
【００１９】
データ転送処理部７はＭＰＥＧエンコーダ５、ＭＰＥＧデコーダ９およびメモリ１７と、ＤＶＤ２５およびＨＤＤ２７との間でのデータ転送を司る。
【００２０】
ＲＯＭ１８にはＤＶＤ２５のデータに関するフォーマット変換のための変換プログラム４０、ＶＲモードに従いエンコード又はデコードするためのＶＲモードプログラム４１およびVideoモードに従いエンコード又はデコードするためのVideoモードプログラム４２が予め格納されている。メモリ１７は、各種のデータ（プログラムを含む）を格納する。入力部２１は、外部操作が可能な複数種類のキー、ボタン、スイッチなどを含み、これらキー中にはフォーマット変換キー２３が含まれる。フォーマット変換キー２３は、後述するフォーマット変換指示を入力するために操作される。
【００２１】
ＤＶＤ２５は、着脱自在に、ＤＶＤアクセス部２８に装着される。ＤＶＤアクセス部２８はＣＰＵ１５とは別個にＣＰＵ（図示せず）を有する。
【００２２】
ビデオＡ／Ｄ回路３には、アンテナ１から与えられるアナログの映像信号などの他に、外部の図示されない装置からラインＬ１またはＬ２のインターフェイスを介して与えられる映像信号などが入力される。
【００２３】
ここでは説明を簡単にするために記録対象は映像（ビデオ）データとしているが、これに限定されず音声データや文字データなどが含まれるようにしても良い。
【００２４】
図１の装置においてＤＶＤ２５に記録するときは、例えばアンテナ１から受信した放送信号の映像信号はビデオＡ／Ｄ回路３でデジタル信号に変換されてＭＥＰＥＧデコーダ５に与えられる。ＭＰＥＧデコーダ５は与えられるデジタル信号をＭＰＥＧの所定手順に従い符号化して、符号化結果から所定フォーマットに従いデータを構成してデータ転送処理部７に出力する。データ転送処理部７はデータを入力してＤＶＤアクセス部２８に与えるので、ＤＶＤアクセス部２８のＣＰＵはＣＰＵ１５の制御の元にＤＶＤ２５にデータを記録する。
【００２５】
ＤＶＤアクセス部２８に装着されたＤＶＤ２５からデータを再生するときは、ＣＰＵ１５はＤＶＤ２５の所定領域に記録されたフォーマット指定情報を読出し、該指定情報に基づきＤＶＤ２５にはVideoモードに従い記録されているのか、またはＶＲモードに従い記録されているのかを判定する。ＣＰＵ１５はＤＶＤアクセス部２８のＣＰＵを制御してＤＶＤ２５からのデータ読出しを行う。
【００２６】
読出されたデータはデータ転送処理部７を経由してＭＰＥＧデコーダ９に順次与えられる。ＭＰＥＧデコーダ９は与えられるデータをＭＰＥＧに従う所定手順とＣＰＵ１５の指示の元にデコードする。そしてデコード結果のデジタル信号をビデオＤ／Ａ１１に出力するので、ビデオＤ／Ａ１１を介して変換されたアナログの映像信号はＴＶ出力部１３に出力されて、図示のないＴＶ受像機などで該映像信号による映像が表示される。
【００２７】
上述の記録再生時には、ＭＰＥＧエンコーダ５とＭＰＥＧデコーダ９はＣＰＵ１５の制御の元に動作する。記録時は、ＣＰＵ１５は所定フォーマットに従いデータを記録するためにＶＲモードプログラム４１またはVideoモードプログラム４２をＲＯＭ１８から読出し実行しながら、実行結果に従いＭＰＥＧエンコーダ５に指示して制御する。また、再生時には読出したフォーマット指定情報に指示されるフォーマットに対応するＶＲモードプログラム４１またはVideoモードプログラム４２をＲＯＭ１８から読出し実行しながら、実行結果に従いＭＰＥＧデコーダ９指示して制御する。
【００２８】
次に、図１の装置においてフォーマット変換処理しながらダビングする場合の手順について図２のフローチャートに従い説明する。図２のフローチャートは、予めプログラムとしてメモリ１７などに格納されてＣＰＵ１５により読出されて実行される。
【００２９】
まず、ユーザは、図１のＤＶＤアクセス部２８にＤＶＤ２５として、「ＶＲモード」に従いデータが記録されているＶＲディスクをセットすると想定する（ステップＳ（以下、単にＳと略す）３）。
【００３０】
ＣＰＵ１５は、常に、入力部２１からの操作による信号を割込として受付けるようにしており、この割込信号が、フォーマット変換キー２３の操作による割込信号か否かを判定する（Ｓ５）。フォーマット変換キー２３が操作されたことによる割込信号が入力されたことを判別すると（Ｓ５でＹＥＳ）、ＣＰＵ１５はＤＶＤアクセス部２８のＣＰＵに対してＤＶＤ２５（ＶＲディスク）からのデータ読出開始を指示する。これに応じて、ＤＶＤアクセス部２８のＣＰＵはＤＶＤ２５からデータを読出す。ＣＰＵ１５は読出されるデータをデータ転送処理部７を経由してＨＤＤ２７の所定の空領域に逐次書込む（Ｓ７）。ＣＰＵ１５は、ＤＶＤアクセス部２８のＣＰＵから、ＤＶＤ２５のデータ読出が完了したことの通知を受けると、ＤＶＤ２５からＨＤＤ２７へのデータコピーが完了していると判定し（Ｓ９でＹＥＳ）、ＤＶＤアクセス部２８のＣＰＵに対して動作を停止するように指示する。ＤＶＤアクセス部２８のＣＰＵは、該動作停止指示を受理すると、ＤＶＤ２５のアクセスを停止して待機状態となる。これにより、ＤＶＤアクセス部２８からＤＶＤ２５を取外したり装着したりすることが自在に可能な状態となる。
【００３１】
ＣＰＵ１５は、ＤＶＤアクセス部２８が待機状態となったことを検知すると、表示部１９を介して、「新しいディスクを入れて下さい」とのメッセージを表示する（Ｓ１１）。
【００３２】
ユーザは、表示部１９に表示されたメッセージを確認して、ＤＶＤアクセス部２８から先に装着されていたＤＶＤ２５を取外し、Videoモードに従いデータを記録可能な種類の新たなディスクを装着する。
【００３３】
ＤＶＤアクセス部２８のＣＰＵは、ディスクが新たなディスクと交換されて装着されたことを検知すると、ディスク装着完了の通知をＣＰＵ１５に出力するので、ＣＰＵ１５は該通知を受理するとディスクの入替え完了と判別するが（Ｓ１３でＹＥＳ）、該通知を受理できず入替え完了と判別できないときは所定のエラー処理を行う。
【００３４】
入替え完了を検知すると、ＣＰＵ１５はＨＤＤ２７に読込まれてコピーされていたデータを所定単位（例えば後述のＶＯＢＵ（video object unit））で読出してデータ転送処理部７を介してメモリ１７に一旦格納する。そして、メモリ１７に格納された所定単位のデータを展開してＶＲモードからVideoモードへのフォーマット変換を実行する。ＲＯＭ１８には、このフォーマット変換のためのプログラム４０が予め格納されているので、ＣＰＵ１５は変換プログラム４０を読出し実行することで、このフォーマット変換を実現する。
【００３５】
フォーマット変換後の所定単位のデータは、すなわちVideoモードに従うデータはメモリ１７から読出されてデータ転送処理部７を介してＤＶＤアクセス部２８に与えられるので、ＤＶＤアクセス部２８は与えられるデータを新たに装着されているＤＶＤ２５に書込む（Ｓ１９）。
【００３６】
ＨＤＤ２７から読出される所定単位のデータ毎に、フォーマット変換を行ないながら、変換後のデータをＤＶＤ２５に記録する動作が繰返されることによって（Ｓ１５からＳ２１のループ処理）、ＨＤＤ２７にコピーされていたすべてのデータについてのフォーマット変換が完了したことをＨＤＤ２７から読出されるデータの終端などをＣＰＵ１５が検知することによって判別すると（Ｓ２１でＹＥＳ）、ＣＰＵ１５は、ＤＶＤアクセス部２８のＣＰＵに対してＤＶＤ２５のファイナライズ処理を行なうよう指示する。ＤＶＤアクセス部２８はＤＶＤ２５についてファイナライズ処理をするので、ＤＶＤ２５に記録されたVideoモードに従うデータは再生可能な状態となる（Ｓ２３）。
【００３７】
このように、ユーザはステップＳ５においてフォーマット変換キー２３を１回操作すると、その後は、ＣＰＵ１５の制御の元、ＶＲモードにて記録されていたＤＶＤ２５のデータを読出し一旦ＨＤＤ２７にコピーし、コピー完了後に、Videoモードに従いデータ構成を成形し直して、別のＤＶＤ２５に記録し、これを完了させるという一連の動作を一括して自動的に行なわせることができる。
【００３８】
また、ＤＶＤアクセス部２８を用いてＤＶＤ２５のデータ読出のための機構とデータ記録のための機構とを共用するようにしている。そのため、ＤＶＤ２５からの読出し完了後（Ｓ９でＹＥＳ）にＤＶＤアクセス部２８の元のＤＶＤ２５を別にＤＶＤ２５に交換するようにしている。
【００３９】
ここではＤＶＤ２５の交換をしているが、別のＤＶＤ２へのダビングは必要ないときは、データを全てＨＤＤ２７にコピーした後に、元のＤＶＤ２５を初期化して、ここにフォーマット変換後のデータを記録するようにしてもよい。
【００４０】
なお、ここではＳ１３でディスクの入替えをしているが、ＤＶＤアクセス部２８を２個設けて、一方には変換前のデータ読出し用のＤＶＤ２５をセットしておき、他方には変換後のデータ記録用のＤＶＤ２５をセットしておき、ＣＰＵ１５は変換前と変換後で２つのＤＶＤアクセス部２８を選択的に切換えて制御するように、ステップＳ１１とＳ１３の処理を省略するようにしてもよい。
【００４１】
本実施の形態におけるステップＳ１７に示されるフォーマット変換手順は、上述した特許文献１−６に開示される公知の手順を用いるものであるから、ここでは図３を用いて簡単に説明する。
【００４２】
図３を参照して、ＶＲフォーマットに従うデータの編集または削除における最小単位としてはＶＯＢＵ３１がＤＶＤ２５に複数個記録されている。複数個のＶＯＢＵ３１のそれぞれは、１個のＲＤＩ（real time data information）パック３３と複数個のビデオパック３５を含んでいる。ビデオパック３５には実情報である映像データが記録されており、ＲＤＩパックには、当該ＶＯＢＵ３１における時間情報、当該ＶＯＢＵ３１の映像表示の際の制御情報および著作権などの情報を有する。ＶＲフォーマットに従うデータがVideoフォーマットに変換される場合、ＶＯＢＵ３１はＶＯＢＵ４１になるように構成が変換される。ＶＯＢＵ４１は、１個のナビパック（ナビゲーションパック）４３と複数個のビデオデータ４５を有する。ナビパック４３は、ＶＲフォーマットの管理情報であるＩＮＦＯ（information）とＲＤＩパック３３とビデオパック３５の情報から作成して、ＶＯＢＵ４１の先頭に格納する。ビデオデータ４５はビデオパック３５のデータから作成される。その後、ＣＰＵ１５は、ＶＯＢＵ４１をメモリ１７からデータ転送処理部７を介してＤＶＤ２５に書込む。
【００４３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４４】
【図１】この発明の実施の形態に係るフォーマット変換装置が搭載されるＤＶＤ記録再生装置のブロック構成図である。
【図２】この発明の実施の形態に係るフォーマット変換の処理フローチャートである。
【図３】この発明の実施の形態に係るフォーマット変換を説明するための図である。
【符号の説明】
【００４５】
７  データ転送処理部、１５  ＣＰＵ、１７  メモリ、２１  入力部、２３  フォーマット変換器、２５  ＤＶＤ、２７  ＨＤＤ、４０  変換プログラム、３１，４１  ＶＯＢＵ、３３  ＲＤＩパック、３５  ビデオパック、４３  ナビパック、４５  ビデオデータ。
【図１】
2006041626.tif 000003
【図２】
2006041626.tif 000004
【図３】
2006041626.tif 000005